(57)【要約】【課題】  ユーザが同一の目的で複数の機器のそれぞれに対して操作することなく、一つの機器への操作を行うことにより、他の機器に対する操作を行わずして操作を行ったのと同様の結果を得る。【解決手段】  ユーザ情報に含まれるユーザアドレスに基づき、コンテンツの提供を要求した端末以外の端末にもコンテンツを配信する。【選択図】  図１
2005227962.tif 000002
【特許請求の範囲】
【請求項１】
ユーザ端末と、このユーザ端末からのコンテンツ配信要求を受け付けるデータサーバと、ユーザ識別サーバと、コンテンツ提供サーバとを備えたコンテンツ配信システムにおいて、
前記コンテンツ提供サーバは、
ユーザ情報と当該ユーザが要求したコンテンツ識別子とから当該ユーザに提供するコンテンツを決定するコンテンツ決定手段と、
ユーザ情報に含まれるユーザアドレスにこの決定したコンテンツを送信もしくは現在配信されている他のコンテンツを当該コンテンツに変更するために必要なデータを送信するコンテンツ送信手段と
を備えたことを特徴とするコンテンツ配信システム。
【請求項２】
ユーザ端末と、このユーザ端末からのコンテンツ配信要求を受け付けるデータサーバと、ユーザ識別サーバと、コンテンツ提供サーバとを備えたコンテンツ配信システムにおいて、
前記コンテンツ提供サーバは、
ユーザ情報と当該ユーザが要求したコンテンツ識別子とから当該ユーザに提供するコンテンツを決定するコンテンツ決定手段と、
ユーザ情報に含まれるユーザアドレスおよび当該ユーザアドレスに対応する端末属性に基づき当該決定したコンテンツを受け入れ可能な端末を判定する手段と、
この判定する手段により判定された端末宛てに当該コンテンツを送信もしくは現在配信されている他のコンテンツを当該コンテンツに変更するために必要なデータを送信するコンテンツ送信手段と
を備えたことを特徴とするコンテンツ配信システム。
【請求項３】
ユーザ端末と、このユーザ端末からのコンテンツ配信要求を受け付けるデータサーバと、ユーザ識別サーバと、コンテンツ提供サーバとを備えたコンテンツ配信システムにおいて、
前記コンテンツ提供サーバは、
ユーザ情報と当該ユーザが要求したコンテンツ識別子とから当該ユーザに提供するコンテンツを決定するコンテンツ決定手段と、
ユーザ情報に含まれるユーザアドレスおよび当該ユーザアドレスに対応する端末属性に基づき当該決定したコンテンツもしくは現在配信されている他のコンテンツを当該コンテンツに変更するために必要なデータのデータ形式を当該コンテンツもしくは当該データを受け入れ予定の端末属性に合わせて調整する手段と、
この調整する手段によりデータ形式が調整されたコンテンツもしくは現在配信されている他のコンテンツを当該コンテンツに変更するために必要なデータを当該データ形式に適合する端末宛てに送信するコンテンツ送信手段と
を備えたことを特徴とするコンテンツ配信システム。
【請求項４】
前記コンテンツ決定手段は、ユーザ情報に基づき識別されたそのユーザの属性と、そのユーザが要求したコンテンツ識別子とからユーザへ渡すコンテンツを決定する手段を備えた請求項１ないし３のいずれかに記載のコンテンツ配信システム。
【請求項５】
前記ユーザ識別サーバは、
前記ユーザ端末のユーザの契約内容あるいは前記ユーザ端末を識別可能な識別情報とこの識別情報に対応する前記ユーザ情報とが記録されたデータベースと、
このデータベースを参照し、前記ユーザ端末から受信した前記識別情報に基づき前記ユーザ情報を検索する手段と
を備えた請求項１ないし３のいずれかに記載のコンテンツ配信システム。
【請求項６】
前記識別情報は、前記ユーザ端末に固有の機器識別情報あるいは当該ユーザ端末のユーザ識別情報であり、前記ユーザ情報は、メールアドレスあるいはＵＲＬである請求項５記載のコンテンツ配信システム。
【請求項７】
前記ユーザ端末は、携帯電話であり、当該携帯電話と前記データサーバとはインターネットを介して接続された請求項１ないし６のいずれかに記載のコンテンツ配信システム。
【請求項８】
ユーザ端末と、このユーザ端末からのコンテンツ配信要求を受け付けるデータサーバと、ユーザ識別サーバと、コンテンツ提供サーバとを備えたコンテンツ配信システムに適用される前記コンテンツ提供サーバにおいて、
ユーザ情報と当該ユーザが要求したコンテンツ識別子とから当該ユーザに提供するコンテンツを決定するコンテンツ決定手段と、
ユーザ情報に含まれるユーザアドレスにこの決定したコンテンツを送信もしくは現在配信されている他のコンテンツを当該コンテンツに変更するために必要なデータを送信するコンテンツ送信手段と
を備えたことを特徴とするコンテンツ提供サーバ。
【請求項９】
ユーザ端末と、このユーザ端末からのコンテンツ配信要求を受け付けるデータサーバと、ユーザ識別サーバと、コンテンツ提供サーバとを備えたコンテンツ配信システムに適用されるコンテンツ提供サーバにおいて、
ユーザ情報と当該ユーザが要求したコンテンツ識別子とから当該ユーザに提供するコンテンツを決定するコンテンツ決定手段と、
ユーザ情報に含まれるユーザアドレスおよび当該ユーザアドレスに対応する端末属性に基づき当該決定したコンテンツを受け入れ可能な端末を判定する手段と、
この判定する手段により判定された端末宛てに当該コンテンツを送信もしくは現在配信されている他のコンテンツを当該コンテンツに変更するために必要なデータを送信するコンテンツ送信手段と
を備えたことを特徴とするコンテンツ提供サーバ。
【請求項１０】
ユーザ端末と、このユーザ端末からのコンテンツ配信要求を受け付けるデータサーバと、ユーザ識別サーバと、コンテンツ提供サーバとを備えたコンテンツ配信システムに適用されるコンテンツ提供サーバにおいて、
ユーザ情報と当該ユーザが要求したコンテンツ識別子とから当該ユーザに提供するコンテンツを決定するコンテンツ決定手段と、
ユーザ情報に含まれるユーザアドレスおよび当該ユーザアドレスに対応する端末属性に基づき当該決定したコンテンツもしくは現在配信されている他のコンテンツを当該コンテンツに変更するために必要なデータのデータ形式を当該コンテンツもしくは当該データを受け入れ予定の端末属性に合わせて調整する手段と、
この調整する手段によりデータ形式が調整されたコンテンツもしくは現在配信されている他のコンテンツを当該コンテンツに変更するために必要なデータを当該データ形式に適合する端末宛てに送信するコンテンツ送信手段と
を備えたことを特徴とするコンテンツ提供サーバ。
【請求項１１】
前記コンテンツ決定手段は、ユーザ情報に基づき識別されたそのユーザの属性と、そのユーザが要求したコンテンツ識別子とからユーザへ渡すコンテンツを決定する手段を備えた請求項８ないし１０のいずれかに記載のコンテンツ提供サーバ。
【請求項１２】
ユーザ端末と、このユーザ端末からのコンテンツ配信要求を受け付けるデータサーバと、ユーザ識別サーバと、コンテンツ提供サーバとを備えたコンテンツ配信システムに適用される前記ユーザ識別サーバにおいて、
前記ユーザ端末のユーザの契約内容あるいは前記ユーザ端末を識別可能な識別情報とこの識別情報に対応する前記ユーザ情報とが記録されたデータベースと、
このデータベースを参照し、前記ユーザ端末から受信した前記識別情報に基づき前記ユーザ情報を検索する手段と
を備えたことを特徴とするユーザ識別サーバ。
【請求項１３】
前記識別情報は、前記ユーザ端末に固有の機器識別情報あるいは当該ユーザ端末のユーザ識別情報であり、前記ユーザ情報は、メールアドレスあるいはＵＲＬである請求項１２記載のユーザ識別サーバ。
【請求項１４】
情報処理装置にインストールすることにより、その情報処理装置に、
ユーザ端末と、このユーザ端末からのコンテンツ配信要求を受け付けるデータサーバと、ユーザ識別サーバと、コンテンツ提供サーバとを備えたコンテンツ配信システムに適用される前記コンテンツ提供サーバに相応する機能を実現させるプログラムにおいて、
ユーザ情報と当該ユーザが要求したコンテンツ識別子とから当該ユーザに提供するコンテンツを決定するコンテンツ決定機能と、
ユーザ情報に含まれるユーザアドレスにこの決定したコンテンツを送信もしくは現在配信されている他のコンテンツを当該コンテンツに変更するために必要なデータを送信するコンテンツ送信機能と
を実現させることを特徴とするプログラム。
【請求項１５】
情報処理装置にインストールすることにより、その情報処理装置に、
ユーザ端末と、このユーザ端末からのコンテンツ配信要求を受け付けるデータサーバと、ユーザ識別サーバと、コンテンツ提供サーバとを備えたコンテンツ配信システムに適用されるコンテンツ提供サーバに相応する機能を実現させるプログラムにおいて、
ユーザ情報と当該ユーザが要求したコンテンツ識別子とから当該ユーザに提供するコンテンツを決定するコンテンツ決定機能と、
ユーザ情報に含まれるユーザアドレスおよび当該ユーザアドレスに対応する端末属性に基づき当該決定したコンテンツを受け入れ可能な端末を判定する機能と、
この判定する機能により判定された端末宛てに当該コンテンツを送信もしくは現在配信されている他のコンテンツを当該コンテンツに変更するために必要なデータを送信するコンテンツ送信機能と
を実現させることを特徴とするプログラム。
【請求項１６】
情報処理装置にインストールすることにより、その情報処理装置に、
ユーザ端末と、このユーザ端末からのコンテンツ配信要求を受け付けるデータサーバと、ユーザ識別サーバと、コンテンツ提供サーバとを備えたコンテンツ配信システムに適用されるコンテンツ提供サーバに相応する機能を実現させるプログラムにおいて、
ユーザ情報と当該ユーザが要求したコンテンツ識別子とから当該ユーザに提供するコンテンツを決定するコンテンツ決定機能と、
ユーザ情報に含まれるユーザアドレスおよび当該ユーザアドレスに対応する端末属性に基づき当該決定したコンテンツもしくは現在配信されている他のコンテンツを当該コンテンツに変更するために必要なデータのデータ形式を当該コンテンツもしくは当該データを受け入れ予定の端末属性に合わせて調整する機能と、
この調整する機能によりデータ形式が調整されたコンテンツもしくは現在配信されている他のコンテンツを当該コンテンツに変更するために必要なデータを当該データ形式に適合する端末宛てに送信するコンテンツ送信機能と
を実現させることを特徴とするプログラム。
【請求項１７】
前記コンテンツ決定機能として、ユーザ情報に基づき識別されたそのユーザの属性と、そのユーザが要求したコンテンツ識別子とからユーザへ渡すコンテンツを決定する機能を実現させる請求項１４ないし１６のいずれかに記載のプログラム。
【請求項１８】
情報処理装置にインストールすることにより、その情報処理装置に、
ユーザ端末と、このユーザ端末からのコンテンツ配信要求を受け付けるデータサーバと、ユーザ識別サーバと、コンテンツ提供サーバとを備えたコンテンツ配信システムに適用される前記ユーザ識別サーバに相応する機能を実現させるプログラムにおいて、
前記ユーザ端末のユーザの契約内容あるいは前記ユーザ端末を識別可能な識別情報とこの識別情報に対応する前記ユーザ情報とが記録されたデータベースに相応する機能と、
このデータベースを参照し、前記ユーザ端末から受信した前記識別情報に基づき前記ユーザ情報を検索する機能と
を実現させることを特徴とするプログラム。
【請求項１９】
請求項１４ないし１８のいずれかに記載のプログラムが記録された前記情報処理装置読み取り可能な記録媒体。
【請求項２０】
ユーザ端末と、このユーザ端末からのコンテンツ配信要求を受け付けるデータサーバと、ユーザ識別サーバと、コンテンツ提供サーバとを備えたコンテンツ配信システムに適用されるコンテンツ配信方法において、
前記コンテンツ提供サーバにより、
ユーザ情報と当該ユーザが要求したコンテンツ識別子とから当該ユーザに提供するコンテンツを決定するコンテンツ決定ステップと、
ユーザ情報に含まれるユーザアドレスにこの決定したコンテンツを送信もしくは現在配信されている他のコンテンツを当該コンテンツに変更するために必要なデータを送信するコンテンツ送信ステップと
を実行することを特徴とするコンテンツ配信方法。
【請求項２１】
ユーザ端末と、このユーザ端末からのコンテンツ配信要求を受け付けるデータサーバと、ユーザ識別サーバと、コンテンツ提供サーバとを備えたコンテンツ配信システムに適用されるコンテンツ配信方法において、
前記コンテンツ提供サーバにより、
ユーザ情報と当該ユーザが要求したコンテンツ識別子とから当該ユーザに提供するコンテンツを決定するコンテンツ決定ステップと、
ユーザ情報に含まれるユーザアドレスおよび当該ユーザアドレスに対応する端末属性に基づき当該決定したコンテンツを受け入れ可能な端末を判定するステップと、
この判定するステップにより判定された端末宛てに当該コンテンツを送信もしくは現在配信されている他のコンテンツを当該コンテンツに変更するために必要なデータを送信するコンテンツ送信ステップと
を実行することを特徴とするコンテンツ配信方法。
【請求項２２】
ユーザ端末と、このユーザ端末からのコンテンツ配信要求を受け付けるデータサーバと、ユーザ識別サーバと、コンテンツ提供サーバとを備えたコンテンツ配信システムに適用されるコンテンツ配信方法において、
前記コンテンツ提供サーバにより、
ユーザ情報と当該ユーザが要求したコンテンツ識別子とから当該ユーザに提供するコンテンツを決定するコンテンツ決定ステップと、
ユーザ情報に含まれるユーザアドレスおよび当該ユーザアドレスに対応する端末属性に基づき当該決定したコンテンツもしくは現在配信されている他のコンテンツを当該コンテンツに変更するために必要なデータのデータ形式を当該コンテンツもしくは当該データを受け入れ予定の端末属性に合わせて調整するステップと、
この調整するステップによりデータ形式が調整されたコンテンツもしくは現在配信されている他のコンテンツを当該コンテンツに変更するために必要なデータを当該データ形式に適合する端末宛てに送信するコンテンツ送信ステップと
を実行することを特徴とするコンテンツ配信方法。
【請求項２３】
前記コンテンツ決定ステップは、ユーザ情報に基づき識別されたそのユーザの属性と、そのユーザが要求したコンテンツ識別子とからユーザへ渡すコンテンツを決定するステップを実行する請求項２０ないし２２のいずれかに記載のコンテンツ配信方法。
【請求項２４】
前記ユーザ識別サーバにより、前記ユーザ端末のユーザの契約内容あるいは前記ユーザ端末を識別可能な識別情報とこの識別情報に対応する前記ユーザ情報とが記録されたデータベースを参照し、前記ユーザ端末から受信した前記識別情報に基づき前記ユーザ情報を検索するステップを実行する請求項２０ないし２２のいずれかに記載のコンテンツ配信方法。
【請求項２５】
前記識別情報は、前記ユーザ端末に固有の機器識別情報あるいは当該ユーザ端末のユーザ識別情報であり、前記ユーザ情報は、メールアドレスあるいはＵＲＬである請求項２４記載のコンテンツ配信方法。
【請求項２６】
前記ユーザ端末は、携帯電話であり、当該携帯電話と前記データサーバとはインターネットを介して接続された請求項２０ないし２５のいずれかに記載のコンテンツ配信方法。
【発明の詳細な説明】
【技術分野】
【０００１】
本発明は、携帯端末等を利用してコンテンツを取得するシステムにおけるコンテンツ配信技術に関する。特に、複数の端末が同一コンテンツの提供を要求する場合に利用するに適する。
【背景技術】
【０００２】
従来から、電話や携帯電話を利用して情報を取得する技術（例えば時報サービス）は存在する。昨今では、携帯電話のインターネット接続を利用して情報を取得する技術は多くのユーザが利用している（例えば、非特許文献１参照）。
【０００３】
図１０は従来のコンテンツ配信システムの構成図である。図１１は従来のコンテンツ取得のシーケンスを示す図である。図１０および図１１に示すように、携帯電話１１によりコンテンツの提供を受ける場合には、携帯電話１１からデータサーバ１２にアクセスし、コンテンツの提供を要求する（１）。データサーバ１２は携帯電話１１からのコンテンツの提供要求を受け付けると、受け付けた旨の応答を携帯電話１１に返す（２）。また、データサーバ１２は、ユーザ識別サーバ１３に対し、ユーザ情報を転送して当該ユーザの認証を依頼する（３）。ユーザ識別サーバ１３は当該ユーザを認証する（４）。データサーバ１２は、ユーザが認証されると、コンテンツ提供サーバ１４に携帯電話１１に対するコンテンツ配信を依頼する（５）。コンテンツ提供サーバ１４は、携帯電話１１にコンテンツを配信する（６）。
【非特許文献１】“モバイル環境におけるマルチメディアコンテンツ配信ネットワーク技術を実証”、［ｏｎｌｉｎｅ］、［平成１６年１月２８日検索］、インターネット、＜ＵＲＬ：ｈｔｔｐ：／／ｗｗｗ．ｎｔｔｄｏｃｏｍｏ．ｃｏ．ｊｐ／ｎｅｗ／ｃｏｎｔｅｎｔｓ／０２／ｗｈａｔｎｅｗ０９１９．ｈｔｍｌ＞
【発明の開示】
【発明が解決しようとする課題】
【０００４】
このように、これら携帯電話を用いた情報取得は主にパケット通信を用いて情報の送受を行っており、そのパケット代は情報量の単価からすると他のシステムに比較して高価である。また、携帯電話の画面は小画面であるため多くの情報を表示することができない。そのため、携帯電話で取得できる情報量は必然的に少なくなる。
【０００５】
このため、多くの人は携帯電話で概要を把握し、詳細はパーソナル・コンピュータ（以下ではＰＣと記す）を用いて閲覧しているが、そのためには携帯電話を用いて情報を取得し、なおかつＰＣを用いて情報を取得する場合には同様の情報を取得するために同様の情報を選ぶ操作が必要になり煩雑である。
【０００６】
例えば、ユーザが携帯電話１１により情報を取得した後に、ＰＣ１５においても同一のコンテンツの配信を希望する場合には、図１１に示すように、ステップ（１）〜（６）までの手順を終えた後に、以下の手順を実行する必要がある。
【０００７】
ＰＣ１５からデータサーバ１２にアクセスし、コンテンツの提供を要求する（７）。データサーバ１２はＰＣ１５からのコンテンツの提供要求を受け付けると、受け付けた旨の応答をＰＣ１５に返す（８）。また、データサーバ１２は、ユーザ識別サーバ１３に対し、ユーザ情報を転送して当該ユーザの認証を依頼する（９）。ユーザ識別サーバ１３は当該ユーザを認証する（１０）。データサーバ１２は、ユーザが認証されると、コンテンツ提供サーバ１４にＰＣ１５に対するコンテンツ配信を依頼する（１１）。コンテンツ提供サーバ１４は、ＰＣ１５にコンテンツを配信する（１２）。
【０００８】
本発明は、このような背景に行われたものであって、ユーザが同一の目的（例えばあるコンテンツを得たいという目的）で複数（例えば携帯電話とＰＣ）の機器のそれぞれに対して操作することなく、一つの機器への操作（例えば携帯電話への操作）を行うことにより、他の機器に対する操作（例えばＰＣに対する操作）を行わずして操作を行ったのと同様の結果（例えばＰＣにて該当コンテンツを得る）を得ることができるコンテンツ配信システムおよび方法を提供することを目的とする。
【課題を解決するための手段】
【０００９】
本発明の第一の観点は、ユーザ端末と、このユーザ端末からのコンテンツ配信要求を受け付けるデータサーバと、ユーザ識別サーバと、コンテンツ提供サーバとを備えたコンテンツ配信システムである。
【００１０】
ここで、本発明の特徴とするところは、前記コンテンツ提供サーバは、ユーザ情報と当該ユーザが要求したコンテンツ識別子とから当該ユーザに提供するコンテンツを決定するコンテンツ決定手段と、ユーザ情報に含まれるユーザアドレスにこの決定したコンテンツを送信もしくは現在配信されている他のコンテンツを当該コンテンツに変更するために必要なデータを送信するコンテンツ送信手段とを備えたところにある（請求項１）。
【００１１】
これにより、ユーザ端末のアドレス以外であっても、ユーザ情報に含まれるユーザアドレスにコンテンツもしくは現在配信されている他のコンテンツを当該コンテンツに変更するために必要なデータを送信することができる。したがって、例えば、携帯電話によりコンテンツのメニューを選択し、コンテンツの内容はＰＣにより受け取るといった利用形態を実現することができる。
【００１２】
ここで“現在配信されている他のコンテンツを当該コンテンツに変更するために必要なデータ”とは、例えば、ユーザ専用Ｗｅｂページ（ポータルサイト）を変更し該当Ｗｅｂサイトを変更する指示である。
【００１３】
あるいは、本発明のコンテンツ配信システムは、前記コンテンツ提供サーバは、ユーザ情報と当該ユーザが要求したコンテンツ識別子とから当該ユーザに提供するコンテンツを決定するコンテンツ決定手段と、ユーザ情報に含まれるユーザアドレスおよび当該ユーザアドレスに対応する端末属性に基づき当該決定したコンテンツを受け入れ可能な端末を判定する手段と、この判定する手段により判定された端末宛てに当該コンテンツを送信もしくは現在配信されている他のコンテンツを当該コンテンツに変更するために必要なデータを送信するコンテンツ送信手段とを備えたことを特徴とする（請求項２）。
【００１４】
これによれば、ユーザが複数の端末の属性情報とそのユーザアドレスとをユーザ情報に含ませておくことにより、ユーザが要求したコンテンツのデータ量などの諸条件に基づき当該コンテンツを受け入れ可能な端末を判定し、受け入れ可能と判定された端末宛てにコンテンツを配信させることができる。例えば、一人のユーザが携帯電話とＰＣとを個別のユーザアドレスを用いてユーザ情報に含ませておけば、携帯電話からコンテンツの提供を要求した場合に、コンテンツのデータ量が携帯電話が受け入れ可能なデータ量であれば、携帯電話にコンテンツを配信させ、コンテンツのデータ量がＰＣでなければ受け入れられないデータ量であれば、ＰＣにコンテンツを配信させることができる。なお、端末の属性情報をユーザ情報に含ませることなく、あらかじめコンテンツ配信システムに登録しておくこともできる。
【００１５】
あるいは、本発明のコンテンツ配信システムは、前記コンテンツ提供サーバは、ユーザ情報と当該ユーザが要求したコンテンツ識別子とから当該ユーザに提供するコンテンツを決定するコンテンツ決定手段と、ユーザ情報に含まれるユーザアドレスおよび当該ユーザアドレスに対応する端末属性に基づき当該決定したコンテンツもしくは現在配信されている他のコンテンツを当該コンテンツに変更するために必要なデータのデータ形式を当該コンテンツもしくは当該データを受け入れ予定の端末属性に合わせて調整する手段と、この調整する手段によりデータ形式が調整されたコンテンツもしくは現在配信されている他のコンテンツを当該コンテンツに変更するために必要なデータを当該データ形式に適合する端末宛てに送信するコンテンツ送信手段とを備えたことを特徴とする（請求項３）。
【００１６】
これによれば、ユーザが複数の端末の属性情報とそのユーザアドレスとをユーザ情報に含ませておくことにより、ユーザが要求したコンテンツのデータ量などを調整して各端末にそれぞれ適したデータ形式にして配信させることができる。例えば、一人のユーザが携帯電話とＰＣとを個別のユーザアドレスを用いてユーザ情報に含ませておけば、携帯電話からコンテンツの提供を要求した場合に、コンテンツのデータ形式を携帯電話が受け入れ可能なデータ形式と、ＰＣが受け入れ可能なデータ形式とし、それぞれ携帯電話およびＰＣにコンテンツを配信させることができる。なお、端末の属性情報をユーザ情報に含ませることなく、あらかじめコンテンツ配信システムに登録しておくこともできる。
【００１７】
また、前記コンテンツ決定手段は、ユーザ情報に基づき識別されたそのユーザの属性と、そのユーザが要求したコンテンツ識別子とからユーザへ渡すコンテンツを決定する手段を備えることができる（請求項４）。
【００１８】
これにより、例えば、ユーザが“プロ野球速報”というコンテンツの提供を要求した場合に、ユーザの属性が“チームＧのファン”である場合には、“プロ野球速報”の中から“チームＧ”に関するコンテンツをユーザへ渡すコンテンツとして決定することができる。なお、ユーザの属性に関する情報は、ユーザがコンテンツ配信システムにあらかじめ登録しておいてもよいし、あるいは、ユーザがコンテンツの提供を要求する際のユーザ情報にその都度含ませることもできる。
【００１９】
また、前記ユーザ識別サーバは、前記ユーザ端末のユーザの契約内容あるいは前記ユーザ端末を識別可能な識別情報とこの識別情報に対応する前記ユーザ情報とが記録されたデータベースと、このデータベースを参照し、前記ユーザ端末から受信した前記識別情報に基づき前記ユーザ情報を検索する手段とを備えることができる（請求項５）。
【００２０】
これによれば、ユーザがコンテンツ配信要求を行う際に、ユーザ情報に各種情報を含ませる作業を行う必要がなく、ユーザ識別サーバは、ユーザ端末が自動的に送信信号に付与する当該ユーザ端末固有の識別情報に基づき、各種ユーザ情報を検索することができる。ただし、この場合には、あらかじめデータベースに各種情報を登録しておく必要がある。登録の方法は、本発明とは直接関係がないので詳細な説明は行わないが、例えば、ユーザがあらかじめ登録手続きを行うこともできるし、あるいは、ユーザが送信した過去のユーザ情報の履歴に基づきユーザ識別サーバが自動的にデータベースに登録を行うこともできる。
【００２１】
具体的には、例えば、前記識別情報は、前記ユーザ端末に固有の機器識別情報あるいは当該ユーザ端末のユーザ識別情報であり、前記ユーザ情報は、メールアドレスあるいはＵＲＬである（請求項６）。このときに、例えば、前記ユーザ端末は、携帯電話であり、当該携帯電話と前記データサーバとはインターネットを介して接続される（請求項７）。
【００２２】
これにより、ユーザ端末に固有の機器識別情報あるいは当該ユーザ端末のユーザ識別情報を用いてメールアドレスあるいはＵＲＬを導き出すことができるため、ユーザはメールアドレスあるいはＵＲＬをコンテンツ配信要求の度に送信する必要はなくなり、ユーザの利便性を向上させることができる。
【００２３】
本発明の第二の観点は、ユーザ端末と、このユーザ端末からのコンテンツ配信要求を受け付けるデータサーバと、ユーザ識別サーバと、コンテンツ提供サーバとを備えたコンテンツ配信システムに適用される前記コンテンツ提供サーバである。
【００２４】
ここで、本発明の特徴とするところは、ユーザ情報と当該ユーザが要求したコンテンツ識別子とから当該ユーザに提供するコンテンツを決定するコンテンツ決定手段と、ユーザ情報に含まれるユーザアドレスにこの決定したコンテンツを送信もしくは現在配信されている他のコンテンツを当該コンテンツに変更するために必要なデータを送信するコンテンツ送信手段とを備えたところにある（請求項８）。
【００２５】
あるいは、本発明のコンテンツ提供サーバは、ユーザ情報と当該ユーザが要求したコンテンツ識別子とから当該ユーザに提供するコンテンツを決定するコンテンツ決定手段と、ユーザ情報に含まれるユーザアドレスおよび当該ユーザアドレスに対応する端末属性に基づき当該決定したコンテンツを受け入れ可能な端末を判定する手段と、この判定する手段により判定された端末宛てに当該コンテンツを送信もしくは現在配信されている他のコンテンツを当該コンテンツに変更するために必要なデータを送信するコンテンツ送信手段とを備えたことを特徴とする（請求項９）。
【００２６】
あるいは、本発明のコンテンツ提供サーバは、ユーザ情報と当該ユーザが要求したコンテンツ識別子とから当該ユーザに提供するコンテンツを決定するコンテンツ決定手段と、ユーザ情報に含まれるユーザアドレスおよび当該ユーザアドレスに対応する端末属性に基づき当該決定したコンテンツもしくは現在配信されている他のコンテンツを当該コンテンツに変更するために必要なデータのデータ形式を当該コンテンツもしくは当該データを受け入れ予定の端末属性に合わせて調整する手段と、この調整する手段によりデータ形式が調整されたコンテンツもしくは現在配信されている他のコンテンツを当該コンテンツに変更するために必要なデータを当該データ形式に適合する端末宛てに送信するコンテンツ送信手段とを備えたことを特徴とする（請求項１０）。
【００２７】
また、前記コンテンツ決定手段は、ユーザ情報に基づき識別されたそのユーザの属性と、そのユーザが要求したコンテンツ識別子とからユーザへ渡すコンテンツを決定する手段を備えることができる（請求項１１）。
【００２８】
本発明の第三の観点は、ユーザ端末と、このユーザ端末からのコンテンツ配信要求を受け付けるデータサーバと、ユーザ識別サーバと、コンテンツ提供サーバとを備えたコンテンツ配信システムに適用される前記ユーザ識別サーバである。
【００２９】
ここで、本発明の特徴とするところは、前記ユーザ端末のユーザの契約内容あるいは前記ユーザ端末を識別可能な識別情報とこの識別情報に対応する前記ユーザ情報とが記録されたデータベースと、このデータベースを参照し、前記ユーザ端末から受信した前記識別情報に基づき前記ユーザ情報を検索する手段とを備えたところにある（請求項１２）。
【００３０】
具体的には、例えば、前記識別情報は、前記ユーザ端末に固有の機器識別情報あるいは当該ユーザ端末のユーザ識別情報であり、前記ユーザ情報は、メールアドレスあるいはＵＲＬである（請求項１３）。
【００３１】
本発明の第四の観点は、情報処理装置にインストールすることにより、その情報処理装置に、ユーザ端末と、このユーザ端末からのコンテンツ配信要求を受け付けるデータサーバと、ユーザ識別サーバと、コンテンツ提供サーバとを備えたコンテンツ配信システムに適用される前記コンテンツ提供サーバに相応する機能を実現させるプログラムである。
【００３２】
ここで、本発明の特徴とするところは、ユーザ情報と当該ユーザが要求したコンテンツ識別子とから当該ユーザに提供するコンテンツを決定するコンテンツ決定機能と、ユーザ情報に含まれるユーザアドレスにこの決定したコンテンツを送信もしくは現在配信されている他のコンテンツを当該コンテンツに変更するために必要なデータを送信するコンテンツ送信機能とを実現させるところにある（請求項１４）。
【００３３】
あるいは、本発明のプログラムは、ユーザ情報と当該ユーザが要求したコンテンツ識別子とから当該ユーザに提供するコンテンツを決定するコンテンツ決定機能と、ユーザ情報に含まれるユーザアドレスおよび当該ユーザアドレスに対応する端末属性に基づき当該決定したコンテンツを受け入れ可能な端末を判定する機能と、この判定する機能により判定された端末宛てに当該コンテンツを送信もしくは現在配信されている他のコンテンツを当該コンテンツに変更するために必要なデータを送信するコンテンツ送信機能とを実現させることを特徴とする（請求項１５）。
【００３４】
あるいは、本発明のプログラムは、ユーザ情報と当該ユーザが要求したコンテンツ識別子とから当該ユーザに提供するコンテンツを決定するコンテンツ決定機能と、ユーザ情報に含まれるユーザアドレスおよび当該ユーザアドレスに対応する端末属性に基づき当該決定したコンテンツもしくは現在配信されている他のコンテンツを当該コンテンツに変更するために必要なデータのデータ形式を当該コンテンツもしくは当該データを受け入れ予定の端末属性に合わせて調整する機能と、この調整する機能によりデータ形式が調整されたコンテンツもしくは現在配信されている他のコンテンツを当該コンテンツに変更するために必要なデータを当該データ形式に適合する端末宛てに送信するコンテンツ送信機能とを実現させることを特徴とする（請求項１６）。
【００３５】
また、前記コンテンツ決定機能として、ユーザ情報に基づき識別されたそのユーザの属性と、そのユーザが要求したコンテンツ識別子とからユーザへ渡すコンテンツを決定する機能を実現させることができる（請求項１７）。
【００３６】
あるいは、本発明のプログラムは、情報処理装置にインストールすることにより、その情報処理装置に、ユーザ端末と、このユーザ端末からのコンテンツ配信要求を受け付けるデータサーバと、ユーザ識別サーバと、コンテンツ提供サーバとを備えたコンテンツ配信システムに適用される前記ユーザ識別サーバに相応する機能を実現させるプログラムである。
【００３７】
ここで、本発明の特徴とするところは、前記ユーザ端末のユーザの契約内容あるいは前記ユーザ端末を識別可能な識別情報とこの識別情報に対応する前記ユーザ情報とが記録されたデータベースに相応する機能と、このデータベースを参照し、前記ユーザ端末から受信した前記識別情報に基づき前記ユーザ情報を検索する機能とを実現させることを特徴とする（請求項１８）。
【００３８】
本発明の第五の観点は、本発明のプログラムが記録された前記情報処理装置読取可能な記録媒体である（請求項１９）。本発明のプログラムは本発明の記録媒体に記録されることにより、前記情報処理装置は、この記録媒体を用いて本発明のプログラムをインストールすることができる。あるいは、本発明のプログラムを保持するサーバからネットワークを介して直接前記情報処理装置に本発明のプログラムをインストールすることもできる。
【００３９】
これにより、汎用の情報処理装置を用いて、ユーザが同一の目的（例えばあるコンテンツを得たいという目的）で複数（例えば携帯電話とＰＣ）の機器のそれぞれに対して操作することなく、一つの機器への操作（例えば携帯電話への操作）を行うことにより、他の機器に対する操作（例えばＰＣに対する操作）を行わずして操作を行ったのと同様の結果（例えばＰＣにて該当コンテンツを得る）を得ることができるコンテンツ提供サーバを実現することができる。
【００４０】
本発明の第六の観点は、ユーザ端末と、このユーザ端末からのコンテンツ配信要求を受け付けるデータサーバと、ユーザ識別サーバと、コンテンツ提供サーバとを備えたコンテンツ配信システムに適用されるコンテンツ配信方法である。
【００４１】
ここで、本発明の特徴とするところは、前記コンテンツ提供サーバにより、ユーザ情報と当該ユーザが要求したコンテンツ識別子とから当該ユーザに提供するコンテンツを決定するコンテンツ決定ステップと、ユーザ情報に含まれるユーザアドレスにこの決定したコンテンツを送信もしくは現在配信されている他のコンテンツを当該コンテンツに変更するために必要なデータを送信するコンテンツ送信ステップとを実行するところにある（請求項２０）。
【００４２】
あるいは、本発明のコンテンツ配信方法は、前記コンテンツ提供サーバにより、ユーザ情報と当該ユーザが要求したコンテンツ識別子とから当該ユーザに提供するコンテンツを決定するコンテンツ決定ステップと、ユーザ情報に含まれるユーザアドレスおよび当該ユーザアドレスに対応する端末属性に基づき当該決定したコンテンツを受け入れ可能な端末を判定するステップと、この判定するステップにより判定された端末宛てに当該コンテンツを送信もしくは現在配信されている他のコンテンツを当該コンテンツに変更するために必要なデータを送信するコンテンツ送信ステップとを実行することを特徴とする（請求項２１）。
【００４３】
あるいは、本発明のコンテンツ配信方法は、前記コンテンツ提供サーバにより、ユーザ情報と当該ユーザが要求したコンテンツ識別子とから当該ユーザに提供するコンテンツを決定するコンテンツ決定ステップと、ユーザ情報に含まれるユーザアドレスおよび当該ユーザアドレスに対応する端末属性に基づき当該決定したコンテンツもしくは現在配信されている他のコンテンツを当該コンテンツに変更するために必要なデータのデータ形式を当該コンテンツもしくは当該データを受け入れ予定の端末属性に合わせて調整するステップと、この調整するステップによりデータ形式が調整されたコンテンツもしくは現在配信されている他のコンテンツを当該コンテンツに変更するために必要なデータを当該データ形式に適合する端末宛てに送信するコンテンツ送信ステップとを実行することを特徴とする（請求項２２）。
【００４４】
また、前記コンテンツ決定ステップは、ユーザ情報に基づき識別されたそのユーザの属性と、そのユーザが要求したコンテンツ識別子とからユーザへ渡すコンテンツを決定するステップを実行することができる（請求項２３）。
【００４５】
また、前記ユーザ識別サーバにより、前記ユーザ端末のユーザの契約内容あるいは前記ユーザ端末を識別可能な識別情報とこの識別情報に対応する前記ユーザ情報とが記録されたデータベースを参照し、前記ユーザ端末から受信した前記識別情報に基づき前記ユーザ情報を検索するステップを実行することができる（請求項２４）。
【００４６】
具体的には、例えば、前記識別情報は、前記ユーザ端末に固有の機器識別情報あるいは当該ユーザ端末のユーザ識別情報であり、前記ユーザ情報は、メールアドレスあるいはＵＲＬである（請求項２５）。このときに、例えば、前記ユーザ端末は、携帯電話であり、当該携帯電話と前記データサーバとはインターネットを介して接続される（請求項２６）。
【発明の効果】
【００４７】
本発明により、ユーザが同一の目的（例えばあるコンテンツを得たいという目的）で複数（例えば携帯電話とＰＣ）の機器のそれぞれに対して操作することなく、一つの機器への操作（例えば携帯電話への操作）を行うことにより、他の機器に対する操作（例えばＰＣに対する操作）を行わずして操作を行ったのと同様の結果（例えばＰＣにて該当コンテンツを得る）を得ることができる。
【発明を実施するための最良の形態】
【００４８】
（第一実施例）
本発明第一実施例のコンテンツ配信システムを図１ないし図３を参照して説明する。図１は本実施例のコンテンツ配信システムのブロック構成図であり、図中の符号１１は携帯電話、符号１２はデータサーバ、符号１３はユーザ識別サーバ、符号１４はコンテンツ提供サーバ、符号１５はＰＣをそれぞれ表している。
【００４９】
携帯電話１１およびＰＣ１５はユーザが操作する機器である。データサーバ１２はコンテンツ事業者が運営するもので例えばＷＷＷ（World Wide Web）サーバからなる。また、データサーバ１２にはユーザ識別サーバ１３が接続される。これはコンテンツ事業者あるいはネットワーク事業者のいずれが運営しているかを問わない。
【００５０】
第一実施例のコンテンツ配信システムは、図１に示すように、携帯電話１１およびＰＣ１５と、この携帯電話１１からのコンテンツ配信要求を受け付けるデータサーバ１２と、ユーザ識別サーバ１３と、コンテンツ提供サーバ１４とを備えたコンテンツ配信システムである。
【００５１】
ここで、本実施例の特徴とするところは、コンテンツ提供サーバ１４は、ユーザ情報と当該ユーザが要求したコンテンツ識別子とから当該ユーザに提供するコンテンツを決定するコンテンツ決定手段と、ユーザ情報に含まれるユーザアドレスにこの決定したコンテンツを送信もしくは現在配信されている他のコンテンツを当該コンテンツに変更するために必要なデータを送信するコンテンツ送信手段とを備えたところにある（請求項１、８）。
【００５２】
また、ユーザ識別サーバ１３は、携帯電話１１のユーザの契約内容あるいは携帯電話１１を識別可能な識別情報とこの識別情報に対応する前記ユーザ情報とが記録されたデータベース１３１と、このデータベース１３１を参照し、携帯電話１１から受信した前記識別情報に基づき前記ユーザ情報を検索するユーザ情報検索部１３２とを備える（請求項５、１２）。
【００５３】
図２は第一実施例のコンテンツ配信システムの利用形態の概念を示す図である。図２に示すように、携帯電話１１から本実施例のコンテンツ配信システムに対してコンテンツの提供を要求すると、ＰＣ１５にもコンテンツが配信されることを特徴とする。
【００５４】
図２の例では、携帯電話１１をインターネットに接続し、コンテンツメニューを表示させ、天気予報のコンテンツの提供を要求している。この要求に対して本実施例のコンテンツ配信システムは、データ量の大きい天気図データをＰＣ１５に配信している。このように、携帯電話１１を操作するだけでＰＣ１５にもコンテンツ配信が行われることを特徴とする。
【００５５】
すなわち、前記識別情報は、携帯電話１１に固有の機器識別情報あるいは当該携帯電話１１のユーザの識別情報であり、前記ユーザ情報は、メールアドレスあるいはＵＲＬである（請求項６、１３）。上述した“現在配信されている他のコンテンツを当該コンテンツに変更するために必要なデータ”は、ユーザ専用Ｗｅｂページ（ポータルサイト）を変更し該当Ｗｅｂサイトを変更する指示であり、これはメールアドレスやＵＲＬである。このときに、携帯電話１１とデータサーバ１２とはインターネットを介して接続される（請求項７）。
【００５６】
次に、第一実施例のコンテンツ配信手順を図３を参照して説明する（請求項２０）。図３は第一実施例のコンテンツ配信手順を示すシーケンス図である。携帯電話１１はデータを要求するアクセスをデータサーバ１２に対して行う（１）。このとき、携帯電話１１からデータサーバ１２にアクセスに用いている携帯電話１１の機器ＩＤやキャリアと契約しているユーザを識別するＩＤを送ることが可能である。この他にも各ウェブサイトが独自に設定したＩＤやクッキーの情報を含むことができる。データサーバ１２はその情報を受け取り、携帯電話１１に、アクセスに対する応答を返答する（２）。その一方で、データサーバ１２は受け取ったＩＤと、アクセスのあったコンテンツの情報（コンテンツ識別子）をユーザ識別サーバ１３へ送信し（３）、内部で保持しているデータベース１３１を参照しＩＤと関連付けられているユーザがアクセスしてきていると認識する（４）。
【００５７】
すなわち、ユーザ識別サーバ１３により、携帯電話１１のユーザの契約内容あるいは携帯端末１１を識別可能な識別情報とこの識別情報に対応する前記ユーザ情報とが記録されたデータベース１３１を参照し、携帯電話１１から受信した前記識別情報に基づき前記ユーザ情報を検索するステップを実行する（請求項２４）。具体的には、前記識別情報は、携帯電話１１に固有の機器識別情報あるいは当該携帯電話１１のユーザ識別情報であり、前記ユーザ情報は、メールアドレスあるいはＵＲＬである（請求項２５）。このときには、携帯電話１１とデータサーバ１２とはインターネットを介して接続される（請求項２６）。
【００５８】
識別されたユーザの情報とアクセスのあったコンテンツの情報とをコンテンツ提供サーバ１４に送る（５）。受け取った情報を元にコンテンツ決定手段１４１はアクセスのあったコンテンツの詳細情報やユーザが所望すると思われるコンテンツを作成し、ユーザの情報に含まれるユーザアドレス宛てにデータを送信する（６）。ユーザはＰＣ１５にてそれを受け取る。
【００５９】
（第二実施例）
第二実施例を図４および図５を参照して説明する。図４は第二実施例のユーザ識別サーバにおけるユーザ属性登録テーブルおよびコンテンツ提供サーバにおけるコンテンツテーブルを示す図である。図５は第二実施例のコンテンツ決定手順を示すフローチャートである（請求項２３）。
【００６０】
第二実施例では、コンテンツ決定手段１４１は、ユーザ情報に基づき識別されたそのユーザの属性と、そのユーザが要求したコンテンツ識別子とからユーザへ渡すコンテンツを決定する手段を備える（請求項４、１１）。
【００６１】
すなわち、第二実施例では、ユーザ識別サーバ１３において、ユーザの情報としてユーザの属性を同時に読み出し、それをコンテンツ提供サーバ１４のコンテンツ決定手段１４１に通知することにより、よりユーザが求めている情報をユーザに渡すことを可能にする。
【００６２】
例えば、図４に示すように、ユーザ♯１がプロ野球速報のページを観た場合に、ユーザ識別サーバ１３において当該ユーザ♯１が“チームＧファン”である旨の登録が記載されていたならば、コンテンツ提供サーバ１４のコンテンツ決定手段１４１によりこのチームＧから観た記事や、このチームＧの記事を詳細に記したページを作成することにより、よりユーザ♯１が求めている記事を得ることが可能である。
【００６３】
すなわち、図５に示すように、ユーザ識別サーバ１３がユーザＩＤを取得したときに（Ｓ１）、図４に示すユーザ属性登録テーブルの登録ユーザであれば（Ｓ２）、そのユーザ属性をコンテンツ提供サーバ１４に通知する（Ｓ３）。コンテンツ提供サーバ１４では、コンテンツ識別子を取得し（Ｓ４）、通知されたユーザ属性とコンテンツとの関連性が有れば（Ｓ５）、関連情報を抽出し（Ｓ６）、そのコンテンツを配信する（Ｓ７）。
【００６４】
図４の例では、ユーザ♯１がプロ野球速報♯ａのコンテンツの提供を要求してきたときに、ユーザ属性が“チームＧファン”であることを検索し、プロ野球速報の中からチームＧに関連する情報を抽出してコンテンツ配信する。
【００６５】
なお、図４に示すようなユーザ属性登録テーブルは、ユーザ識別サーバ１３のデータベース１３１に設けられるが、ユーザ属性登録テーブルを設けない場合には、ユーザがコンテンツの提供を要求するためのユーザ情報の中にユーザ属性情報を含ませることもできる。
【００６６】
（第三実施例）
第三実施例のコンテンツ配信システムの動作を図６および図７を参照して説明する。図６は第三実施例のコンテンツ提供サーバのブロック構成図である。図７は第三実施例のコンテンツ配信手順を示すシーケンス図である（請求項２１）。
【００６７】
第三実施例のコンテンツ配信システムは、コンテンツ提供サーバ１４は、図６に示すように、ユーザ情報と当該ユーザが要求したコンテンツ識別子とから当該ユーザに提供するコンテンツを決定するコンテンツ決定手段１４１と、ユーザ情報に含まれるユーザアドレスおよび当該ユーザアドレスに対応する端末属性に基づき当該決定したコンテンツを受け入れ可能な端末を判定する端末判定手段１４３と、この判定する手段により判定された端末宛てに当該コンテンツを送信もしくは現在配信されている他のコンテンツを当該コンテンツに変更するために必要なデータを送信するコンテンツ送信手段１４２とを備える（請求項２、９）。
【００６８】
すなわち、図７に示すように、コンテンツ提供サーバ１４は、データサーバ１２からコンテンツ配信指示を受け取ると、端末判定手段１４３により、そのユーザアドレスに基づき端末属性を検索する。そのためには、ユーザ識別サーバ１３のデータベース１３１あるいは端末判定手段１４３に、端末属性テーブルを設ける必要がある。あるいは、そのようなテーブルを設けない場合には、ユーザがコンテンツの提供を要求するためのユーザ情報に端末属性情報を含ませておくこともできる。端末属性が判明すると、端末判定手段１４３は、要求されたコンテンツのデータ量その他の諸条件を端末属性に当てはめることにより、当該コンテンツを受け入れ可能な端末を判定する（６）。
【００６９】
例えば、データ量が小さく、携帯電話１１でもコンテンツ受け入れが可能であると判定された場合には、コンテンツ送信手段１４２から携帯電話１１宛にコンテンツを配信する（７）。あるいは、データ量が大きく、ＰＣ１５でなければコンテンツ受け入れが困難であると判定された場合には、コンテンツ送信手段１４２からＰＣ１５宛にコンテンツを配信する（７′）。
【００７０】
これにより、ユーザ側としては、コンテンツのデータ量を考慮して配信端末を指定する必要がなく、ユーザの利便性を向上させることができる。
【００７１】
（第四実施例）
第四実施例のコンテンツ配信システムの動作を図８および図９を参照して説明する。図８は第四実施例のコンテンツ提供サーバのブロック構成図である。図９は第四実施例のコンテンツ配信手順を示すシーケンス図である（請求項２２）。
【００７２】
第四実施例のコンテンツ配信システムは、コンテンツ提供サーバ１４は、図８に示すように、ユーザ情報と当該ユーザが要求したコンテンツ識別子とから当該ユーザに提供するコンテンツを決定するコンテンツ決定手段１４１と、ユーザ情報に含まれるユーザアドレスおよび当該ユーザアドレスに対応する端末属性に基づき当該決定したコンテンツもしくは現在配信されている他のコンテンツを当該コンテンツに変更するために必要なデータのデータ形式を当該コンテンツもしくは当該データを受け入れ予定の端末属性に合わせて調整するデータ形式調整手段１４４と、このデータ形式調整手段１４４によりデータ形式が調整されたコンテンツもしくは現在配信されている他のコンテンツを当該コンテンツに変更するために必要なデータを当該データ形式に適合する端末宛てに送信するコンテンツ送信手段１４２とを備える（請求項３、１０）。
【００７３】
すなわち、図９に示すように、コンテンツ提供サーバ１４は、データサーバ１２からコンテンツ配信指示を受け取ると、データ形式調整手段１４４により、そのユーザアドレスに基づき端末属性を検索する。これは第三実施例と同様である。端末属性が判明すると、データ形式調整手段１４４は、要求されたコンテンツのデータ量その他の諸条件が端末属性に当てはまるように、データ形式を調整する（６）、（８）。
【００７４】
例えば、データ量が大きく、ＰＣ１５でなければコンテンツ受け入れが困難であると判定された場合には、ＰＣ１５に対するデータ形式はそのままにしておき、携帯電話１１に対するデータ形式を調整する。例えば、画像データを含む場合には、画像を構成する信号のバイト数を低減させたり、あるいは、画像データを削除してテキストデータのみに変更する。または、一連のデータを分割して送信することにより、一つあたりのデータ量を削減する。
【００７５】
これにより、ユーザ側としては、自動的に複数の端末にコンテンツ配信が行われるため、ユーザの利便性を向上させることができる。
【００７６】
（第五実施例）
本発明は、汎用の情報処理装置にインストールすることにより、その情報処理装置に本発明のコンテンツ提供サーバに相応する機能を実現させるプログラムとして実現することができる（請求項１４〜１８）。このプログラムは、記録媒体に記録されて情報処理装置にインストールされ（請求項１９）、あるいは通信回線を介して情報処理装置にインストールされることにより当該情報処理装置に、コンテンツ提供サーバ１４のコンテンツ決定手段１４１、コンテンツ送信手段１４２、端末判定手段１４３、データ形式調整手段１４４、ユーザ識別サーバ１３のデータベース１３１、ユーザ情報検索部１３２にそれぞれ相応する機能を実現させることができる。
【００７７】
本実施例では、ネットワークをインターネットとして説明したが、本発明のコンテンツ配信システムの適用範囲をインターネットに限定するものではない。
【産業上の利用可能性】
【００７８】
本発明により、ユーザが同一の目的（例えばあるコンテンツを得たいという目的）で複数（例えば携帯電話とＰＣ）の機器のそれぞれに対して操作することなく、一つの機器への操作（例えば携帯電話への操作）を行うことにより、他の機器に対する操作（例えばＰＣに対する操作）を行わずして操作を行ったのと同様の結果（例えばＰＣにて該当コンテンツを得る）を得ることができる。
【００７９】
さらに、ユーザが提供を要求するコンテンツの中からユーザの属性情報に基づきユーザが優先的に知りたい情報を抽出するといったサービスを並行して行うこともできる。
【００８０】
これにより、携帯端末を用いた情報取得の利便性が向上し、ユーザの確保に寄与することができる。
【図面の簡単な説明】
【００８１】
【図１】本実施例のコンテンツ配信システムのブロック構成図。
【図２】第一実施例のコンテンツ配信システムの利用形態の概念を示す図。
【図３】第一実施例のコンテンツ配信手順を示すシーケンス図。
【図４】第二実施例のユーザ識別サーバにおけるユーザ属性登録テーブルおよびコンテンツ提供サーバにおけるコンテンツテーブルを示す図。
【図５】第二実施例のコンテンツ決定手順を示すフローチャート。
【図６】第三実施例のコンテンツ提供サーバのブロック構成図。
【図７】第三実施例のコンテンツ配信手順を示すシーケンス図。
【図８】第四実施例のコンテンツ提供サーバのブロック構成図。
【図９】第四実施例のコンテンツ配信手順を示すシーケンス図。
【図１０】従来のコンテンツ配信システムのブロック構成図。
【図１１】従来のコンテンツ配信手順を示すシーケンス図。
【符号の説明】
【００８２】
１１  携帯電話
１２  データサーバ
１３  ユーザ識別サーバ
１４  コンテンツ提供サーバ
１５  ＰＣ
１３１  データベース
１３２  ユーザ情報検索部
１４１  コンテンツ決定手段
１４２  コンテンツ送信手段
１４３  端末判定手段
１４４  データ形式調整手段
【図１】
2005227962.tif 000003
【図２】
2005227962.tif 000004
【図３】
2005227962.tif 000005
【図４】
2005227962.tif 000006
【図５】
2005227962.tif 000007
【図６】
2005227962.tif 000008
【図７】
2005227962.tif 000009
【図８】
2005227962.tif 000010
【図９】
2005227962.tif 000011
【図１０】
2005227962.tif 000012
【図１１】
2005227962.tif 000013